(57)【要約】【課題】手の届きにくい背部位の患部に人手を借りず貼付剤等を所望な位置に平坦に貼付する事ができ、また貼付具に貼付剤等を取り付け後に保護シートを剥離し固定するので藥剤層どうし、あるいは患部以外に粘着することは無く、さらに、形状は小型・軽量で携帯用に利用できる濕布類の貼付具に関する。【解決手段】本体１の一方先端部に切欠開口部５があり、その切欠開口部５の先端部および中間部に杆４、４′を取り付け、本体１の他方片端の中間部位に、固定したアーム８の先端に固定部９を有する固定具１０を設けた構成からなることを特徴とする濕布類の貼付具。【選択図】  図２
2004148068.tif 000002
【特許請求の範囲】
【請求項１】
本体の一方先端部に近い部位に押圧部位と、内方に開口部があり、開口部の中間部に杆を取り付け、本体の他方端部の中間部位にはアームの先端に固定部を有する固定具を固定してなる構成からなることを特徴とする貼付具。
【請求項２】
本体の一方先端部に切欠開口部があり、その切欠開口部の先端部および中間部に杆を取り付けてなることを特徴とする請求項１記載の貼付具。
【請求項３】
本体の一方先端部に切欠開口部があり、その切欠開口部の先端部に杆を取り付けてなることを特徴とする請求項１記載の貼付具。
【請求項４】
シート基材の中間部に開口部があり、開口部の中央部より折曲げて先端部に切欠開口部を形成させ、折曲げの内側に杆を取り付けて、半片どうしを重合してなることを特徴とする請求項１、２または３のいずれかに記載の貼付具。
【発明の詳細な説明】
【０００１】
【発明の属する技術分野】
本発明は、被覆貼付剤とくに、人体の運動器の病気が原因で痛みを発症した患部に、経皮吸収型鎮痛消炎剤（以下湿布と呼ぶ）等を貼付する貼付具の提供に関する。
【０００２】
【従来の技術】
人体は肩凝り、打撲、捻挫、骨折、関節摩耗、筋肉疲労等、の運動器の病気が原因で各部位に痛みを発症した場合は、病院に行って治療するか、あるいは家庭において患部に市販の鎮痛消炎薬液を塗付するか、または湿布を貼付して症状を治癒する処置を行っている。特に、湿布を用いて患者自身が保護シートを剥離し患部に貼付する時に、薬剤層が粘着性を有しているので薬剤層どうしが粘着したり、また患部に押圧して移動しながら湿布を患部に貼付する時に多数のしわが生じる等、不具合がしばしば発生する。また、背部位（背中、腰、等）の手の届きにくい場所に湿布を貼付する場合は、患部にうまく貼付できずに着脱を繰返すこともしばしば起こり、患部位置に的確にしかも平坦に貼付するにはなかなか容易ではなく、通常は人手を借りて貼付しているのが現状である。
【０００３】
従って、手の届きにくい背部位の患部に湿布を人手を借りずに本人自身で貼付することを意図した貼付具が開示されている。即ち、登実平１０−３０４９５８３号（特許文献１参照）は、略Ｕ字形の操作棒の一端部の内側に基板を設け、該基板の内側面に粘着性シートあるいは雄形面ファスナーを取り付け、外用貼付剤の基材別毎に該基板の使い分けを可能にした貼付具である。あるいは特開２００１−３０９９８５号（特許文献２参照）の貼付材は、孔を有する板からなり貼付藥を板の上に置き保護シートを剥離し、その端部を貼付材の端部に設けた固定部に固定し、一方の貼付剤シートは孔に通して下面に引き出し、ついで板の下面を患部に圧しつけて押して移動しながら患部に貼付する。また、引きながら貼付する場合は、貼付藥の面を反対側から取り付け保護シートを孔の反対側の固定部に固定し、ついで貼付剤シートを患部に貼付し圧しつけながら貼付材を引っ張って貼付する方法等が開示されている。
【０００４】
【特許文献１】登実平１０−３０４９５８３号公報
【特許文献２】特開２００１−３０９９８５号公報
【０００５】
【発明が解決しようとする課題】
前記、登実平１０−３０４９５８３号は、不敷布、フイルム、またはシート等の基材に、薬剤を塗布した外用貼付剤を貼付具の基板に取り付ける場合、外用貼付剤の基材を考慮して、予め貼付具の基板に取り付ける粘着性シートと雄形面ファスナーの使い分けにより外用貼付剤の展着が容易であることが利点とされる。しかしながら難点は、粘着性シートに使用する粘着剤および雄形面ファスナーの形状等、その素材、構造の相違により粘着力・係着力が異なる。さらに、市販の外用貼付剤基材の素材は種類が多くそれぞれその製造仕様が異なっている。例えば、粘着性シートあるいは雄形面ファスナーの粘着力・係着力が外用貼付剤の薬剤粘着力より強ければ、仮に患部に外用貼付剤が展着しても外用貼付剤が、貼付具の基板より簡単に剥離せず結果的に貼付が不可能となる。従って、貼付具の基板に取り付けた粘着性シート、あるいは雄形面ファスナーの粘着・係着力等に適応した外用貼付剤の基材を選定使用することが必要となる。加えて、貼付具の基板の粘着性シートは使用中に表面が塵埃、汚れ等により粘着力が低下し外用貼付剤を基板に展着する時に展着不良が起こるので粘着性シートを度々取り替えが必要となる。また、貼付具自体も比較的大きく携帯用として不向きである等、その取扱に当たっての使用感の悪さを感じる。
【０００６】
前記、特開２００１−３０９９８５の請求項５、６および７における貼付材は、孔を有する板でその上面に固定部、押圧部が下面の貼付材を用いて貼付剤シートを患部に貼付する時は、圧しつけて押して移動する、あるいは引きながら移動して貼付する。従って、患部位置によりそれぞれ選択使用が可能であり、形状も小型で貼付薬の箱に入れ保管される等、が利点とされる。しかしながら難点は、市販の貼付剤シートの素材は種々あって、例えば、薄くて柔軟な素材の貼付剤シートを貼付材にセットする場合、保護シートを一部剥離して断面コ字状の固定部に固定する。一方藥剤層が露出状態の貼付剤シートを貼付材の孔に通し下面に引き出す際に、藥剤層の強い粘着性により孔端部の一部に粘着したり、また藥剤層面どうしが粘着する等の発生の恐れがある。そのたびに剥離が必要で大変な手間がかかる。また、その間は貼付材を片手に持ち続けなければならない。さらに、使用時における患部に対する貼付法が異なれば、その貼付剤のをセット法も異なる。特に、高齢者が貼付材の利用時には、その取扱を十分習得し慣れることが必要であり、前者同様にその取扱に当たっての使用感の悪さを感じる。
【０００７】
【課題を解決するための手段】
本発明は、本体の一方先端部に近い部位に押圧部位と内方に開口部があり、開口部の中間部に杆を取り付けてなる構成、あるいは本体の一方先端部に切欠開口部があり、その切欠開口部の先端部および中間部に杆を取り付けてなる構成、または本体の一方先端部に切欠開口部があり、その切欠開口部の先端部に杆を取り付けてなる構成、さらにシート基材の中間部に開口部があり、開口部の中央部に折曲げ部７を設けて折曲げ、その先端部に切欠開口部として形成させ、折曲げた内側に杆を取り付け、半片どうしを重合してなる構成等のそれぞれ本体の他方端部の中間部位に、アームの先端に固定部を有する固定具を固定した構成からなることを特徴とする貼付具を提供する。
【０００８】
【発明の実施の形態】
実施例にもとづき図面を参照して説明する。
本発明の図１に示すように、本体１の一方先端部に近い部位に押圧部位２と内方に開口部３があり、開口部３の中間部に杆４を取り付けてなる構成、あるいは図２に示すように、本体１の一方先端部に切欠開口部５があり、その切欠開口部５の先端部および中間部にそれぞれ杆４、４′を取り付けてなる構成、または図３に示すように、本体１の一方先端部に切欠開口部５があり、その切欠開口部５の先端部に杆４を取り付けてなる構成、さらに図４に示すように、シート基材６の中間部に開口部３があり、開口部３の中央部に折曲げ部７を設けて折曲げ、その先端部に切欠開口部として形成させ、折曲げの内側に杆４を取り付けて、基材半片６′、６″どうしを重合してなる構成等、のそれぞれ本体１（図１、図２、図３と図４参照）の他方端部の中間部位に、図５に示すアーム８の先端に固定部９を有する固定具１０を固定した構成からなる貼付具。
【０００９】
本体１は、使用中に容易に曲折・破損しなければその素材は特に問わない。例えば、木製板または硬質プラスチック板等があるが、特に可撓性を有する硬質プラスチック板が使いやすく好ましい。また図１、図２、図３と図４に示す開口部３および切欠開口部５に取り付ける杆４は使用時に容易に曲折しなければ素材・形状は特に問わない。例えば、鋼鉄線等で棒・細帯状等の形状が好ましく、特にピアノ線が好ましい。なお、図１、図２と図３に示すように、本体１の硬質プラスチック板に杆４（以下ピアノ線と呼ぶ）の取り付けを図２で説明する。即ち、切欠開口部５の先端部および中間部に図６に示すように、それぞれ切欠溝１１、１１′を造設しピアノ線４、４′を嵌合する。なお、切欠溝にピアノ線の固定は、接着、熱溶着または嵌合等がある。取り付け後に容易に外れなければ方法は特に問わない。本体が硬質プラスチック板の場合は、特に嵌合固定が容易であり好ましい。
【００１０】
つぎに図４に示すように、シート基材６は硬質で折り曲げ可能で可撓性を有し容易に破損しなければ素材は特に問わない。例えば、硬質プラスチックシートまたは、工作用板紙等がある。特に、工作用板紙（例えば、厚肉カラー工作用紙等）が使いやすく好ましい。各基材半片６′、６″の接着法は、接着後に容易に剥離しなければ方法は特に問わない。例えば、接着剤による接着は素材が紙質ならば工作用合成糊が好ましい。プラスチックシートならば接着剤による接着、もしくは熱溶着が好ましいが、特に熱溶着が好ましい。
【００１１】
つぎに本体１（図１、図２、図３と図４参照）の他方片端の中間部位に、図５に示すアーム８の先端に固定部９を有する固定具１０を固定する。固定部９は保護シートを固定するもので一般的な方法として、隙間に差し込むもの、あるいは挟むもの等がある。特に、固定後は絶対に外れない方法が好ましい。従って、固定部９の構造は、上下対称形状の二枚の舌状片を形成し、一方舌状片１２は掛止部を有する雄部１３と、他方舌状片１２′は雄部１３と上下対称位置に雌孔部１４を設けた構成からなる。また、固定具１０の素材は可撓性を有するプラスチック等が好ましい。なお、本体１に固定した固定具１０は、容易に外れ無ければ特にその固定方法は問わないがその取り付けは、アーム８が左右に回動できるように固定具１０の他方片端に孔部１５を設けて、本体１と固定金具で固定することが好ましい。以上の構成により本体１（以下貼付具と呼ぶ）が完成する。
【００１２】
実施例１は、図７に示す押圧部位２を設けた貼付具１で、湿布１６の取り付けについて具体的に説明する。即ち、貼付具１を平坦な場所に置き、保護シート１７を上にした湿布１６を固定具１０側の貼付具１上に載置後、固定具１０を濕布１６上に置く。濕布１６を徐々に移動させ開口部３よりピアノ線４の下部に通して押圧部位２上の側縁部より垂下させる。藥剤層１８の端部より保護シート１７を剥離し、折り返しピアノ線４の上部を通し、その端部を固定部９の二枚の舌状片１２．１２′に挟み込み掛止固定する。これで貼付具１に湿布１６の取り付けは終了する。
【００１３】
実施例２は、図２に示すように、押圧部位２としてピアノ線４を取り付けた貼付具１の場合も、前記図７と同様にして湿布１６の取り付けを行えばよい。
【００１４】
実施例３は、図８に示すように、一方先端部に切欠開口部５があり、その切欠開口部５の先端部にピアノ線４を取り付けた構成の貼付具１に、湿布１６の取り付けは、前記図７と同様に貼付具１に載置した湿布１６を徐々に移動させ、切欠開口部５よりピアノ線４の下部に通して、藥剤層１８の端部より保護シート１７を剥離し、折り返してピアノ線４の上部を通し、その端部を固定具９に掛止固定する。藥剤層１８の端部は切欠開口部５の側縁部より垂下する。以上で貼付具１に湿布１６の取り付けは終了する。
【００１５】
実施例４は、患部に貼付する濕布１６の使用態様を図９に示すように、貼付具１に取り付けた濕布１６を患部に引き当てながら貼付する場合は、貼付具１を裏返して藥剤層１８の端部を患部に引き当てながら移動すると濕布１６は平坦に貼付される。また、押し当てながら貼付する場合を図１０に示すように、貼付具１の押圧部位２上の側縁部より垂下した濕布１６の藥剤層１８を身体１９の患部に押し当てながら移動すると同様に濕布１６は平坦に貼付される。
【００１６】
本発明の各構成要素の意図する点は、本貼付具は保護シートと粘着剤の組み合わせによる被覆貼付剤、例えば、濕布を始め広告用フイルム等の貼付に広く使用できる。また、被覆貼付剤の形状は特に限定しない。例えば、四角形、三角形、丸形、楕円形、その他形状の被覆貼付剤等の貼付に広く使用できる。特に、人体の運動器の病気が原因で痛みの患部に貼付する湿布に用いるのが好ましく、貼付具の使用により手の届きにくい背部位に人手を借りず湿布を患部の正しい位置にしわの発生もなく平坦に貼付される。また、患部の湿布貼付方法（引き当て、押し当て）が異なっても、貼付具に濕布の取り付けは同一の方法で行うことができる。即ち、貼付具の同一片面で保護シート付着のまま取り付けが可能なので、準備終了までの間は貼付具の一部に粘着したり、あるいは藥剤層どうしが粘着することが全くなく、湿布の取り付けは著しく簡単容易にして短時間で終了する。なお、保護シートは患部に貼付する直前に剥離する。
【００１７】
また、貼付具の他方片端の中間部位に固定した固定具の先端は、固定部として雄部、雌孔部の二枚の舌状片によって、湿布より剥離した保護シートは確実に掛止され使用中に外れることはない。さらに、アームによって貼付具上の濕布は軽く押圧された状態で載置される。従って、仮に貼付具を裏返しても貼付具上の濕布自体が垂下したり、また移動時に濕布の方向がずれることはなく常に正常に位置し所望の患部に貼付される等、その取り扱いに当たっての利便効果は大きい。、
【００１８】
【発明の効果】
以上、本発明は従来のかかる難点を有利に解決するもので、以下に記載するような効果が発揮される。
即ち、手の届きにくい背部位の患部でも人手を借りず湿布を所望な位置に平坦に貼付することが可能である。さらに、患部に対して湿布の貼付方法が異なっても貼付具の濕布取り付けは同一手順で行うことができる。また、終始保護シート付のままで取り付けられるので、その間は貼付具の一部に藥剤層が粘着したり、あるいは藥剤層どうしが粘着することが全くなく、湿布の取り付けは著しく簡単容易にして短時間で終了する。また、剥離した保護シートは固定部の二枚の雄・雌部を有した舌状片により確実に嵌合掛止される。さらに、固定具のアームで貼付具上の濕布は軽く押圧された状態で載置し、貼付具を裏返しても濕布自体が垂下することはない等、取扱い簡単で容易な貼付具と言える。特に、高齢者も容易に使用できるので貼付具の利便性は高い。加えて、貼付具の構造もシンプルで小型にして軽量でその保管も容易である。また携帯用としても便利に利用できる。その上、使用する素材も廉価で低コストで多量に製作が可能である等、実用的で極めて利便性の高い使用感良好な補助具としての濕布類の貼付具である。
【図面の簡単な説明】
【図１】実施例１の押圧部位を設けた貼付具の平面図である。
【図２】実施例２の切欠開口部にピアノ線を取り付けた貼付具の平面図である。
【図３】実施例３の切欠開口部にピアノ線を取り付けた貼付具の平面図である。
【図４】シート基材の折り曲げ部にピアノ線を取り付けた貼付具の平面図である。
【図５】アーム付舌状固定部の拡大斜視図である。
【図６】貼付具の切欠溝にピアノ線を取り付けた拡大側面図である。
【図７】実施例１の貼付具に濕布取り付け態様の斜視図である。
【図８】実施例３の貼付具に濕布取り付け態様の斜視図である。
【図９】実施例３の貼付具を患部に引き当て使用態様の説明図である。
【図１０】実施例１の貼付具を患部に押し当て使用態様の説明図である。
【符号の説明】
１        本体（貼付具）
２        押圧部位
３        開口部
４、４′  杆（ピアノ線）
５        切欠開口部
６        シート基材
６′、６″基材半片
７        折曲げ部
８        アーム
９        固定部
１０      固定具
１１、１１′切欠溝部
１２、１２′舌状片
１３      雄部
１４      雌孔部
１５      孔部
１６      濕布
１７      保護シート
１８      藥剤層
１９      身体
【図１】
2004148068.tif 000003
【図２】
2004148068.tif 000004
【図３】
2004148068.tif 000005
【図４】
2004148068.tif 000006
【図５】
2004148068.tif 000007
【図６】
2004148068.tif 000008
【図７】
2004148068.tif 000009
【図８】
2004148068.tif 000010
【図９】
2004148068.tif 000011
【図１０】
2004148068.tif 000012